(57)【要約】【課題】回路部品の経年変化、修理、回路変更等々に起因するフリーラン周波数の変化に伴って当該フリーラン周波数を規定の周波数値に制御することができる基準クロック信号の周波数制御装置を提供する。【解決手段】衛星電波のＩＦ入力を受信回路６で受け、そのサブコード領域に含まれるＰＣＲ信号を次段の復調回路７によって抽出し、基準クロックとしてＣＰＵ１２に入力させる。ＰＷＭ発生器９、積分回路１０、水晶発振器１１によって構成されるルーブ制御部を設ける。ループ制御は、ＣＰＵ１２に接続された不揮発性メモリ１３にフリーラン周波数を決定付ける回路定数データを格納し、受信信号から抽出信号が得られなかったとき、またはアンテナが接続されていない等の受信信号が適正なもので無かったときに、当該の不揮発性メモリ１３に格納されている回路定数データを用いてループ制御を行い正確な周波数を得る。【選択図】　　　　図１
2004040709.tif 000002
【特許請求の範囲】
【請求項１】
所定のデジタル信号処理および／またはアナログ信号処理を行うための基準クロック信号が含まれた受信信号から、前記基準クロック信号に対応する信号を抽出して得られる抽出信号を、ループ制御部を用いて基準発振源の出力に対して制御することによって周波数が所定値にロックされた出力信号とする基準クロック信号の周波数制御装置において、
フリーラン周波数を決定付ける回路定数データを格納する不揮発性メモリと、
前記受信信号から前記抽出信号が得られなかったとき、または前記受信信号が適正なもので無かったときに、前記不揮発性メモリに格納されている前記回路定数データに基づくフリーラン周波数の信号を前記出力信号とするように制御する制御部とを具備し、前記回路定数データは、前記ループ制御部によってロックされた周波数に対応する制御値の所定期間内の平均値に基づいて更新されるように構成されたことを特徴とする基準クロック信号の周波数制御装置。
【請求項２】
前記ループ制御部は、前記抽出信号に対応するパルス幅を制御することによって前記出力信号の周波数を所定値にロックするように構成すると共に、前記回路定数データをパルス幅に対応したデータとするように構成することを特徴とする請求項１ないし請求項３のいずれかに記載の基準クロック信号の周波数制御装置。
【請求項３】
前記ループ制御部は、前記抽出信号に対応する電圧値を制御することによって前記出力信号の周波数を所定値にロックするように構成すると共に、前記回路定数データを電圧値に対応したデータとするように構成することを特徴とする請求項１ないし請求項３のいずれかに記載の基準クロック信号の周波数制御装置。
【発明の詳細な説明】
【０００１】
【発明の属する技術分野】
本発明は、基準クロック信号の周波数制御装置の改良に関する。
【０００２】
【従来の技術】
所定のデジタル信号処理および／またはアナログ信号処理を行うための基準クロック信号が含まれた形態の信号を受けて得られた受信信号から、前記基準クロック信号に対応する信号を抽出して得られる抽出信号を、ループ制御部を用いて基準発振源の出力に対して制御することによって周波数が所定値にロックされた出力信号とする基準クロック信号の周波数制御装置が音響機器、映像機器等々に広く用いられている。
【０００３】
このような基準クロック信号の周波数制御装置は、例えばＩＲＤシステムにも用いられている。このＩＲＤシステムは、所定のアルゴリズムで暗号化されたテレビ放送番組の信号に、ユーザーＩＤ情報と課金情報を重畳して形成された送信信号を受信し、ユーザー機器情報と前記受信された信号に含まれるユーザーＩＤ情報と課金情報を比較してユーザー認証を行い、所定条件を満たしたときに前記暗号化されたテレビ放送番組の信号の解読を許容してテレビ放送番組を正規に再現させるような制御を行うものであって、
【０００４】
ＩＲＤシステムの具体的な構成は、例えば図３に示すように、ＩＲＤ装置１にモニタＴＶ２と受信アンテナ５を接続して構成され、多種多様のユーザー情報に基づいて送信信号を生成するサービスセンター３から放送衛星４に向けて放送用信号を送信し、この放送用信号を受けた放送衛星４から放送電波を地上に向かって送信される。
【０００５】
そして、放送電波を受信アンテナ５で受け、その信号に対して所定の復号信号処理を施してビデオ信号に変換し、モニタＴＶ２に映像再生すると同時に、図示しない音響装置によって音声再生を行っている。
【０００６】
この場合、放送衛星４から送信される放送電波は、所定のアルゴリズムに基づく暗号化（スクランブル変調）が掛けられた信号とされ、テレビ放送番組の信号に、ユーザーＩＤ情報と課金情報を含ませて送信された有料テレビ番組放送の信号とされていて、そのままの状態で受信したときには正規の映像と音声が再現できない状態とされ、ＩＲＤ装置１による認証、即ち、送信電波に含まれるユーザーＩＤ情報と課金情報を受信して得られた情報に基づいて行われる課金期間の参照、課金チャンネルの参照、機器ＩＤが正規に登録されたものであるかの参照等々の制限条件が全て満たされたときに当該の暗号化が解除されて正規の映像と音声を再現させることができる。
【０００７】
従って、ＩＲＤシステムのユーザーは特定のチャンネルもしくは特定番組に対して課金許容の登録を電話回線を用いてサービスセンター３に連絡することによって好みの番組を視聴することができ、その視聴が予め定められた放送予定日時にて一義的に行われるようになっている。
【０００８】
このようなＩＲＤシステムにおいて、映像再現、スクランブル解除、音声再現を行うためのデジタル信号処理とアナログ信号処理を行うための基準信号は、放送衛星４からの受信信号に含まれる基準クロック信号、例えば２７ＭＨｚの信号を抽出することによって得ている。
【０００９】
具体的には、図４に示す回路のように衛星電波を受信して得られるＩＦ入力を受信回路６（ＮＩＭ）で受け、トランスポートストリームＴＳを取り出し、そのサブコード領域に含まれるＰＣＲ信号を次段の復調回路７（ＤＥＭＵＸＥＲ）によって抽出し、ＣＰＵ８に入力させる。
【００１０】
このＰＣＲ信号は、ＰＷＭ制御値に変換されてＰＷＭ発生器９に入力されＰＷＭ波形の信号として積分回路１０に入力された後に、この積分回路１０の出力が水晶発振器１１に供給され、この水晶発振器１１出力がＣＰＵ８に帰還、即ち「周波数値フィードバック」されることによって水晶発振子による発振精度を保ったループ制御が行われ、送信側の２７ＭＨｚのクロック信号にＩＲＤ装置側のクロック信号を追従させることによって確実なデジタル処理を行えるようにしている。
【００１１】
この場合、ＩＲＤ装置で放送電波からのＰＣＲ信号を「受信するまでの間」、もしくは受信アンテナが接続されていない場合等の、ＰＣＲ信号を「受信できない状況」にあるときには上述のループ制御を行うことができず、その結果、基準クロック信号がフリーラン状態で発生されることになる。
【００１２】
このような基準クロック信号が、例えばアナログビデオのエンコーダの処理を行うための元クロックとして入力されたときに、当該信号の周波数が２７ＭＨｚからずれているとＴＶモニタに再現される映像の色再現がずれたりもしくは色再現できない等の不都合が生じてしまう。
【００１３】
これを避けるために、製品の工場出荷時にフリーラン周波数を共振回路を構成するトリマー部品による調整を行って所定値（例えば２７ＭＨｚ）に設定したり、元クロックの周波数制御がＰＷＭ制御で行われている場合には、そのＰＷＭ信号波形のデューティ比（ＰＷＭ制御値）の標準値を調整して所定値（例えば２７ＭＨｚ）に設定している。
【００１４】
上述基準クロック制御装置は、ＩＲＤ装置の場合のみならず、受信信号に含まれる基準クロック信号成分を抽出し、その抽出された信号を基準として所定のデジタルもしくはアナログ処理を行う音響信号、映像信号、コンピュータ信号等々を扱う回路装置の大部分に適用されているものである。
【００１５】
【発明が解決しようとする課題】
従来の基準クロック信号の周波数制御装置は、製品の工場出荷時に自機器によるフリーラン周波数が所定値になるように調整されていて、元クロックが得られない状態のときにも必要最小限の動作を行えるようにしているものの、当該の調整に関連する回路部品の定数が経年変化によって変化すると、この変化に追従してフリーラン周波数が変化してしまうという問題がある。
【００１６】
このような変化に基づく周波数変化量が大きくなってしまった場合には、色再現が行えなくなってしまい正規の映像再現を行えなくなったり、音響再生等々の再現動作を正確に行うことができなくなってしまうという問題が生じる。
【００１７】
この問題は、回路部品の定数が経年変化することに起因して生じるのみならず、修理等によって電子部品の交換を行った場合にも生じる可能性が高いので、修理や回路変更を行う都度にフリーラン周波数を再調整する必要があり、高精度の周波数カウンタ等々の高価な測定器を使用することを要求されるので繁雑作業であると共に、これに伴って必要費用が増大する虞がある。
【００１８】
そこで、本発明の目的は、回路部品の経年変化、修理等々に起因するフリーラン周波数の変化に伴って当該フリーラン周波数を規定の周波数値に制御することができる基準クロック信号の周波数制御装置を提供することにある。
【００１９】
【課題を解決するための手段】
前記課題を解決するために、本発明による基準クロック信号の周波数制御装置は、次に記載するような特徴的な構成を採用している。
【００２０】
（１）所定のデジタル信号処理および／またはアナログ信号処理を行うための基準クロック信号が含まれた受信信号から、前記基準クロック信号に対応する信号を抽出して得られる抽出信号を、ループ制御部を用いて基準発振源の出力に対して制御することによって周波数が所定値にロックされた出力信号とする基準クロック信号の周波数制御装置において、
フリーラン周波数を決定付ける回路定数データを格納する不揮発性メモリと、前記受信信号から前記抽出信号が得られなかったとき、または前記受信信号が適正なもので無かったときに、前記不揮発性メモリに格納されている前記回路定数データに基づくフリーラン周波数の信号を前記出力信号とするように制御する制御部とを具備し、前記回路定数データは、前記ループ制御部によってロックされた周波数に対応する制御値の所定期間内の平均値に基づいて更新されるように構成された基準クロック信号の周波数制御装置。
【００２１】
（２）前記ループ制御部は、前記抽出信号に対応するパルス幅を制御することによって前記出力信号の周波数を所定値にロックするように構成すると共に、前記回路定数データをパルス幅に対応したデータとするように構成する上記（１）の基準クロック信号の周波数制御装置。
【００２２】
（３）前記ループ制御部は、前記抽出信号に対応する電圧値を制御することによって前記出力信号の周波数を所定値にロックするように構成すると共に、前記回路定数データを電圧値に対応したデータとするように構成する上記（１）又は（２）の基準クロック信号の周波数制御装置。
【００２３】
【発明の実施の形態】
以下、本発明の一実施の形態について図１と図２を用いて詳細に説明する。本実施形態は、本発明による「基準クロック信号の周波数制御装置」をＩＲＤシステムに適用した例であり、映像再現、スクランブル解除、音声再現を行うためのデジタル信号処理とアナログ信号処理を行うための基準信号は、放送衛星からの受信信号に含まれる基準クロック信号、例えば２７ＭＨｚの信号を抽出することによって得ている。
【００２４】
具体的には、図１に示す回路のように衛星電波を受信して得られるＩＦ入力を受信回路６（ＮＩＭ）で受け、トランスポートストリームＴＳを取り出し、そのサブコード領域に含まれるＰＣＲ信号を次段の復調回路７（ＤＥＭＵＸＥＲ）によって抽出し、ＣＰＵ１２に入力させる。
【００２５】
このＰＣＲ信号は、ＰＷＭ制御値に変換されてＰＷＭ発生器９に入力されＰＷＭ波形の信号として積分回路１０に入力された後に、この積分回路１０の出力が水晶発振器１１に供給され、この水晶発振器１１出力がＣＰＵ１２に帰還、即ち「周波数値フィードバック」されることによって水晶発振子による発振精度を保ったループ制御が行われ、送信側の２７ＭＨｚのクロック信号にＩＲＤシステム側のクロック信号を追従させることによって正確な基準信号を得ている。
【００２６】
このようなループ制御は、ＣＰＵ１２に接続された不揮発性メモリ１３にフリーラン周波数を決定付ける回路定数データを格納し、受信信号から抽出信号が得られなかったとき、またはアンテナが接続されていない等の受信信号が適正なもので無かったときに、当該の不揮発性メモリ１３に格納されている回路定数データを用いて「ＣＰＵ１２、ＰＷＭ発生器９、積分回路１０、水晶発振器１１」の経路で形成されるループ制御部におけるフリーラン周波数を所定値にするように制御される。
【００２７】
その動作ステップは、図２に示すフローチャートのように、まずステップＳ１で、受信回路６と復調回路７を介して得られた受信信号（トランスレートストリームＴＳ）から抽出されたＰＣＲ信号の精度が充分であるか否かの判断がなされ、Ｎｏの場合には、ステップＳ１が再実行され、Ｙｅｓになったときに次のステップＳ２−１に移行する。
【００２８】
ステップＳ２−１は、ＣＰＵ１２に入力されたＰＣＲ信号に対応する制御値の平均の値を求め、次ステップＳ２−２で、この値と、既に不揮発性メモリ１３に格納されている制御値データとの差成分を求めた後に、ステップＳ３に移行して当該の差成分の値が予め定められた幅以内であるか否かを判定する。
【００２９】
ステップＳ３にてＹｅｓの場合、即ち、差成分の値が予め定められた幅以内である場合には、抽出信号の周波数が適正なものであるので、最初のステップＳ１に戻されこれ以降が再実行され、Ｎｏの場合、即ち、差成分の値が予め定められた幅を超えている場合には、以前に不揮発性メモリ１３に格納された制御値データが現在の制御値データと大きく異なっているために次のステップＳ４に移行する。
【００３０】
ステップＳ４は、不揮発性メモリ１３に既に格納されている制御値データを現在の制御値データに置き換えて更新するもので、この更新が完了すると最初のステップＳ１に戻され以後のステップが再実行される。これによって確実なデジタル処理を行えるようにしている。
【００３１】
よって、ＩＲＤシステムで放送電波からのＰＣＲ信号を「受信するまでの間」、もしくは受信アンテナが接続されていない場合等の、ＰＣＲ信号を「受信できない状況」にあるときには、不揮発性メモリ１３に格納されている最善の制御値を取り出してループ制御しているので規定の周波数に一致した信号を得ることができ、当該の受信信号から適正な抽出信号が得られたときには、その現在制御値でもって規定の周波数に一致した信号に制御され、そのときの制御値によって不揮発性メモリ１３の格納データが自動更新される。
【００３２】
このために、基準クロック信号がフリーラン状態で発生された場合であっても、最善の制御値によって周波数制御されるので、例えばアナログビデオのエンコーダの処理を行うための元クロックとして用いられたときには、当該信号の周波数が正確であるためにＴＶモニタに再現される映像の色再現がずれたりもしくは色再現できない等の不都合が生じることを防止できる。
【００３３】
なお、本実施形態においては、不揮発性メモリ１３への制御値データの格納が平均値の形で行われているが、生データ、実効値もしくは加重平均値であってもよく、また、前述のループ制御部は、抽出信号に対応するパルス幅をＰＷＭ発生器９と積分回路１０を用いて制御することによって出力周波数を所定値にロックするように構成しているが、ループ制御のための制御値を電圧の値とし、これに追従して制御電圧値を変化させることによってループ制御部を構成するようにしてもよい。
【００３４】
また、前述の形態は、本発明をＩＲＤシステムに適用した例であるが、本発明は、ＩＲＤシステムの場合のみならず、受信信号に含まれる基準クロック信号成分を抽出し、その抽出された信号を基準として所定のデジタルもしくはアナログ処理を行う音響信号、映像信号、コンピュータ信号等々を扱う回路装置の全てに適用できることは勿論である。
【００３５】
以上、本発明による基準クロック信号の周波数制御装置の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００３６】
【発明の効果】
以上の説明で明らかなように、本発明による基準クロック信号の周波数制御装置は、基準クロック信号がフリーラン状態で発生された場合であっても、最善の制御値によって周波数制御される。
【００３７】
また、回路部品の定数が経年変化や修理等によって変化してもこの変化に追従して自動更新された状態でフリーラン周波数を正規の値にすることができるので、経年変化や修理等を行う都度にフリーラン周波数を手動でもって再調整するという従来作業が不要となり、また、再調整に高精度の周波数カウンタ等々の高価な測定器を使用することが不要されるので繁雑作業をなくすことができる。
【００３８】
従って、回路部品の経年変化、修理等々に起因するフリーラン周波数の変化に伴って当該フリーラン周波数を規定の周波数値に制御することができる基準クロック信号の周波数制御装置を提供することができる。
【図面の簡単な説明】
【図１】本発明の一実施の形態による基準クロック信号の周波数制御装置をＩＲＤシステムに用いた例の全体構成を示すむブロック回路図である。
【図２】図１に示される基準クロック信号の周波数制御装置の機能を説明するためのフローチャートである。
【図３】ＩＲＤシステムの概略を説明するためのブロック回路図である。
【図４】図３に示されるＩＲＤシステムに用いられる従来の基準クロック信号の周波数制御装置の一例を示すブロック回路図である。
【符号の説明】
１　ＩＲＤ装置
２　モニタＴＶ
３　サービスセンター
４　放送衛星
５　受信アンテナ
６　受信回路
７　復調回路
８、１２　ＣＰＵ
９　ＰＷＭ発生器
１０　積分回路
１１　水晶発振器
１３　不揮発性メモリ
【図１】
2004040709.tif 000003
【図２】
2004040709.tif 000004
【図３】
2004040709.tif 000005
【図４】
2004040709.tif 000006